(57)【特許請求の範囲】
【請求項１】
カッター刃を装填したカートリッジをカッターナイフ本体部にスライドさせてセットするカッターナイフにおいて、
前記カッターナイフ本体部は、前記カートリッジを収納するとともに、前記カッター刃をガイドするガイド部材と、該ガイド部材を固定するボディ部材を有し、
前記カートリッジの上面には、カッター刃を上から落とし込んで収容するための凹部が設けられ、かつ、前記カートリッジの底面の後部に、前記カートリッジに弾性をもたせて一体的に形成され、下面に被係止凸部が形成された被係止片が設けられ、
前記ガイド部材の後部に、前記被係凸部を係止させるための上方へ曲げられた舌片状の係止片が設けられ、
前記カートリッジの底面の前記係止片に対応する位置に、前記被係止片より前方に向け、前記カートリッジの底面の先端の手前でスライド溝先端部として閉じるスライド溝が設けられ、
前記ボディ部材の底面の後部に、上面に突出するように形成された解除凸部を有し、前記解除凸部が前記被係止凸部を押し上げたときに前記係止片による前記被係凸部の係止状態を解除させるための押し込み可能な解除部材が、その外側の表面が前記ボディ部材の外側の表面と同じ位置、または、前記ボディ部材の外側の表面より低い位置となるように設けられ、
前記カートリッジを前記ガイド部材に挿入して前記カッターナイフ本体部にセットしたときに、前記被係止片の前記被係止凸部が前記係止片により係止されて前記カートリッジを前記ガイド部材から引き出せないようにするとともに、
前記カートリッジを前記カッターナイフ本体部から引き出したとき、前記スライド溝先端部が前記係止片により係止されて前記カートリッジを前記カッターナイフ本体部に対して抜け止めすることを特徴とするカッターナイフ。
【請求項２】
前記解除部材が、前記ボディ部材とは別部材として前記ボディ部材に対して押し込み可能に取り付けられた解除ノブによって形成されていることを特徴とする請求項１に記載のカッターナイフ。
【請求項３】
前記解除部材が、前記ボディ部材と一体的に弾性をもって押し曲げ可能に設けられた解除片によって形成されていることを特徴とする請求項１に記載のカッターナイフ。
【発明の詳細な説明】
【０００１】
【発明の属する技術分野】
本発明は、カッターナイフ、特に、複数枚のカッター刃を収容できるカートリッジを有するカートリッジ式のカッターナイフに関するものである。
【０００２】
【従来の技術】
図９〜図１１は、本発明の先行例のカッターナイフを説明するためのもので、図９は、カートリッジをカッターナイフ本体部にセットした状態の斜視図、図１０は、カッターナイフ本体部からカートリッジを引き出してカッター刃を挿入する状態の斜視図、図１１は、ガイド部材の斜視図である。図中、１はボディ部材、２はガイド部材、２ａは係止部、２ｂは係合孔、２ｃ，２ｄはカッター刃規制部、３はカートリッジ、３ａは把持部、３ｉはフック部、４はスライダー部材、５はカッター刃、５ａは係合孔、６は可動台である。
【０００３】
図１０に示すように、カートリッジ３をボディ部材１とガイド部材２よりなるカッターナイフ本体部にセットした状態から、カートリッジ３の把持部を強く引くと、カートリッジ３を引き出すことができる。カッターナイフ本体部とカートリッジ３には、図示しない抜け止め機構が設けられているので、カートリッジ３は、図９に示す状態で抜け止めされる。１枚または複数枚のカッター刃５をカートリッジ３の可動台６に載置して、把持部３ａを押して、カートリッジ３をカッターナイフ本体部に挿入すると、カートリッジ３がセットされ、図１０に示すように、カッターナイフが使用状態となる。
【０００４】
カートリッジ３のセット構造について説明する。カートリッジ３の把持部３ａの近傍の両側部にフック部３ｉが設けられている。フック部３ｉは、アーム状に延ばした部分の外側に向けて突起を形成するようにして形成される。カートリッジ３の材料として、ポリエチレン等の弾性を有する合成樹脂を用いることによりアーム部に弾性を与えることができる。一方、図１１に示すように、ガイド部材３の両側部の後部に係合孔２ｂが設けられ、カートリッジ３がカッターナイフ本体部に押し込まれた状態において、フック部３ｉの突起が係合孔２ｂに嵌合して、カートリッジ３がカッターナイフ本体部に係止される。
【０００５】
この先行例のカッターナイフは、カートリッジ３のセット状態において、突起が形成されたフック部３ｉが係合孔に嵌合することにより係止される構造であるから、カートリッジ３を係止する力を大きくすることができないから、作業中にカートリッジ３が不用意に引き出されることがあり、カッター刃が外れることもあり、使用上、十分な注意を払う必要がある。
【０００６】
このような、フック部と係合孔による係止構造に代えて、種々の係止構造が用いられているが、構造が複雑であったり、操作が簡単でないという問題がある。
【０００７】
【発明が解決しようとする課題】
本発明は、上述した事情に鑑みてなされたもので、カートリッジがカッターナイフ本体部から作業中不用意に引き出ることなく、また、カッター刃を充填させるときには、簡単な操作で容易に引き出すことができるカッターナイフを提供することを目的とするものである。
【０００８】
【課題を解決するための手段】
請求項１に記載の発明は、カッター刃を装填したカートリッジをカッターナイフ本体部にスライドさせてセットするカッターナイフにおいて、前記カッターナイフ本体部は、前記カートリッジを収納するとともに、前記カッター刃をガイドするガイド部材と、該ガイド部材を固定するボディ部材を有し、前記カートリッジの上面には、カッター刃を上から落とし込んで収容するための凹部が設けられ、かつ、前記カートリッジの底面の後部に、前記カートリッジに弾性をもたせて一体的に形成され、下面に被係止凸部が形成された被係止片が設けられ、前記ガイド部材の後部に、前記被係凸部を係止させるための上方へ曲げられた舌片状の係止片が設けられ、前記カートリッジの底面の前記係止片に対応する位置に、前記被係止片より前方に向け、前記カートリッジの底面の先端の手前でスライド溝先端部として閉じるスライド溝が設けられ、前記ボディ部材の底面の後部に、上面に突出するように形成された解除凸部を有し、前記解除凸部が前記被係止凸部を押し上げたときに前記係止片による前記被係凸部の係止状態を解除させるための押し込み可能な解除部材が、その外側の表面が前記ボディ部材の外側の表面と同じ位置、または、前記ボディ部材の外側の表面より低い位置となるように設けられ、前記カートリッジを前記ガイド部材に挿入して前記カッターナイフ本体部にセットしたときに、前記被係止片の前記被係止凸部が前記係止片により係止されて前記カートリッジを前記ガイド部材から引き出せないようにするとともに、前記カートリッジを前記カッターナイフ本体部から引き出したとき、前記スライド溝先端部が前記係止片により係止されて前記カートリッジを前記カッターナイフ本体部に対して抜け止めすることを特徴とするものである。
【０００９】
請求項２に記載の発明は、請求項１に記載のカッターナイフにおいて、前記解除部材が、前記ボディ部材とは別部材として前記ボディ部材に対して押し込み可能に取り付けられた解除ノブによって形成されていることを特徴とするものである。
【００１０】
請求項３に記載の発明は、請求項１に記載のカッターナイフにおいて、前記解除部材が、前記ボディ部材と一体的に弾性をもって押し曲げ可能に設けられた解除片によって形成されていることを特徴とするものである。
【００１３】
【発明の実施の形態】
図１〜図６は、本発明のカッターナイフの第１の実施の形態を説明するためのもので、図１はカッターナイフ本体部とスライダー部材の分解斜視図、図２はガイド部材を底面側からみた斜視図、図３はカートリッジとの分解斜視図、図４はカートリッジを底面側からみた斜視図、図５（Ａ）はカートリッジをカッターナイフ本体部にセットした状態の斜視図、図５（Ｂ）はカートリッジを引き出した状態の斜視図、図６（Ａ）はカートリッジをカッターナイフ本体部にセットした状態の断面図、図６（Ｂ）（Ｃ）（Ｄ）はカートリッジを引き出す動作を説明するための要部の断面図、図６（Ｅ）はカートリッジを引き出した状態の断面図である。図中、１はボディ部材、１ａは刃上げスプリング固定溝、１ｂはビス孔、１ｃは解除ノブ挿入孔、２はガイド部材、２ａは係止部、２ｃ，２ｄはカッター刃規制部、２ｅはスプリング孔、２ｆはビス孔、２ｇは係止片、３はカートリッジ、３ａは把持部、３ｂは被係止片、３ｃは被係止凸部、３ｄは凹部、３ｅは窓孔、３ｆはスライド溝、３ｇはスライド溝先端部、３ｈはスプリング孔、４はスライダー部材、５はカッター刃、５ａは係合孔、６は可動台、６ａは係合突起、７は刃上げスプリング、８はスライダー本体部材、８ａは係合突起、９は操作部材、１０はスライダースプリング、１１はビス、１２は解除ノブ、１２ａは解除凸部である。
【００１４】
図５（Ａ）により概要を説明する。ボディ部材１の外形は、図ではほぼ角柱状であるが、カッターの使用にあたって、把持する部分であり、適宜の形状、例えば、握りやすい形状など、使いやすさとデザイン等を考慮して適宜の形状に設計されるのがよく、合成樹脂、例えばＡＢＳ樹脂で作成されるのがよい。ガイド部材２は、カートリッジ３を収納するとともに、カッター刃をガイドするものであり、金属板を折り曲げて形成されるが、合成樹脂で作成されてもよい。スライダー部材４は、カッター刃５の出し入れをするためのものであり、図では基本的な構成を示しており、操作しやすいノブ状の形状など、操作しやすい形状とするのがよい。
【００１５】
カートリッジ３は、ガイド部材２に内挿され、引き出し可能に構成されている。図５（Ｂ）はカートリッジ３を引き出した状態であり、この状態で把持部３ａを押してガイド部材２に押し込むと図５（Ａ）の状態となる。押し込んだとき、被係止片３ｂの被係止凸部３ｃがガイド部材２に形成された舌片状の係止片２ｇ（図２）に係合されて、カートリッジ３をガイド部材２から引き出せないようにしている。後述するように解除ノブ１２（図１）の操作により、係止片２ｇによる係止を解除してカートリッジ３をガイド部材２から引き出すことができる。カートリッジ３を引き出した図５（Ｂ）の状態では、図９で説明したと同様に、カッター刃５を収納することができる。なお、被係止凸部３ｃには、傾斜面を形成し、カートリッジ３をセットする際に、被係止片３ｂが係止片２ｇを乗り越えやすくしている。
【００１６】
図１により、スライダー部材とカッターナイフ本体部について説明する。スライダー部材４は、スライダー本体部材８と操作部材９とスライダースプリング１０により構成されている。スライダー本体部材８は、金属板、例えばステンレス薄板のプレス加工と折り曲げ加工により作製されており、操作部材９が前後方向に移動可能に取り付けられている。スライダー本体部材８と操作部材９との間にスライダースプリング１０が設けられており、ガイド部材２の上面の内側に向かい合った側縁をガイドとして前後に移動可能である。スライダー本体部材８の前方に延びる舌状の部分には、下方に突出する係合突起８ａが形成されており、カッター刃５の係合孔５ａに係合して、スライダー部材４の前後方向の移動により、カッター刃５を出し入れする。操作部材９の内側には４個の係合爪が形成されており、この係合爪がスライダー本体部材８の両側部に形成された４個の係合孔に係合して、スライダー本体部材８に操作部材９が取り付けられる。係合孔を前後方向に長く形成して、スライダー本体部材８に対して、操作部材９の前後方向の移動が可能となっている。操作部材９には、カム部分が形成されており、スライダー本体部材８に対して前方または後方への移動により、スライダースプリング１０を後退させて、ガイド部材２の係止部２ａへの係止を解除させてスライダー部材４をガイド部材２に対して移動させることができる。
【００１７】
カッターナイフ本体部は、ボディ部材１とガイド部材２が主要な構成部品である。ボディ部材１の内面底部には、刃上げスプリング固定溝１ａとビス孔１ｂが設けられている。また、ボディ部材１の後部には、解除ノブ挿入孔１ｃが形成されており、上から解除ノブ１２を挿入することができる。解除ノブ１２には、解除凸部１２ａが突出するように形成されている。
【００１８】
図１と図２を参照してガイド部材２を説明する。ガイド部材２は、金属板、例えばステンレス板でチャンネル状に構成され、上面には、内側に向かい合う側縁の一方には多数の凹部よりなる係止部２ａが形成されており、上述したスライダー部材４のスライダースプリング１０の先端を係止させて、カッター刃の位置規制を行なう。係止部２ａのほか、カッター刃規制部２ｃ，２ｄ、スプリング孔２ｅ、ビス孔２ｆ、係止片２ｇが設けられている。カッター刃規制部２ｃ，２ｄは、下方に膨出させた部分であり、カッター刃が通る隙間を規制して、カッター刃を押さえ込むようにして、カッター刃のがたつきを抑えるためのものである。係止片２ｇは、上下を反転させて底面側からみた図２でみれば下方、図１でいえば上方へ曲げられた舌片状に形成されたものであり、カートリッジ３の係止と抜け止めの作用をするものである。したがって、弾性を持たせてもよく、あるいは、カートリッジを挿入した後、図に示すように折り曲げるようにしてもよい。
【００１９】
カッターナイフ本体部は、ボディ部材１に刃上げスプリング７を載置し、上からガイド部材２を載せ、ビス孔２ｆ（図２）とビス孔１ｂを一致させた状態でビス１１によりガイド部材２をボディ部材１に固定することにより組み立てることができる。
【００２０】
図３，図４によりカートリッジ３について説明する。カートリッジ３には、カッター刃５の複数枚を収容できる凹部３ｄが形成されており、凹部３ｄにはカッター刃５を載置できる可動台６が上下動可能にカートリッジ３に取り付けられている。可動台６は、カートリッジ３がガイド部材に押し込まれた状態、つまり、使用状態において、刃上げスプリング７（図１）で上方に付勢される。図３は、カートリッジ３の凹部３ｄと可動台６との関係がよく分かる図である。すなわち、凹部３ｄの側縁に窓孔３ｅが４箇所に設けられ、可動台６の側縁には係合突起６ａが突出されている。凹部３ｄの上方から、可動台６を押し込むようにして、可動台６を凹部３ｄに取り付ける。カートリッジ３および可動台６の一方または双方の材料として合成樹脂、例えば、ポリエチレンを用い、弾性変形を利用して、可動台６を凹部３ｄに押し込むことができる。凹部３ｄの底部に設けられたスプリング孔３ｅは、刃上げスプリングを通すためのスリット状の孔である。可動台６は金属板を用いてもよい。
【００２１】
カートリッジ３の後部には、被係止凸部３ｃが形成された被係止片３ｂがカートリッジ３に一体的に形成されている。カートリッジ３の材料として、上述したように、弾性変形可能な材料を用いることにより、被係止片３ｂに弾性を持たせる。したがって、被係止凸部３ｃは、カートリッジ３に対して弾性的に支持されていることになる。被係止片３ｂより前方に向けて、スライド溝３ｆが形成され、スライド溝先端部３ｇは、カートリッジ３の先端の手前で閉じている。被係止片３ｂおよびスライド溝３ｆは、上述したガイド部材２の係止片２ｇに対応する位置に設けられている。
【００２２】
図１〜図４により、カッターナイフ本体部にカートリッジ３を取り付ける方法について説明する。この実施の形態では、カートリッジ３をガイド部材２に取り付けた後、図１で説明したように、ビス１１でガイド部材２をボディ部材１に取り付けるようにした。カートリッジ３をガイド部材２に取り付けるには、係止片２ｇが図１において上方に曲げられて弾性を持つ場合には、ガイド部材２の後部から、カートリッジ３を押し込めばよい。カートリッジ３の先端部のスライド溝３ｆが形成されていない部分を通り抜ければ、弾性に抗して曲げられた係止片２ｇは、スライド溝３ｆの位置で復帰する。この状態で、ガイド部材２をボディ部１に固定する。その後、さらに、カートリッジ３が押し込まれると、その最終行程で、係止片２ｇの先端が、被係止凸部３ｃの段差部に位置して、カートリッジ３をセットする。この状態では、カートリッジ３をカッターナイフ本体部から引き出すことはできない。
【００２３】
係止片２ｇに弾性を持たせなくてもよい。すなわち、実質的に剛体として構成してもよい。この場合は、カートリッジ３が挿入される前のガイド部材２においては、係止片２ｇは曲げられておらず、ガイド部材２の底面と同一面にある。この状態で、カートリッジ３をガイド部材２に挿入する。係止片２ｇが邪魔をしないから、カートリッジ３の挿入には支障となるものはない。係止片２ｇがスライド溝３ｆに位置されている状態、すなわち、最終行程までカートリッジ３を挿入していない状態で、係止片２ｇの先端が、スライド溝３ｆ内に入り込むように係止片２ｇを曲げる。ビス孔２ｆにビス１１を挿入できる位置まで、カートリッジ３を引き出した状態で、上述したように、ガイド部材２をボディ部１にビス１１で固定する。ついで、カートリッジ３を最終行程まで押し込んでカートリッジ３をカッターナイフ本体部にセットする。
【００２４】
図６（Ａ）は、カートリッジのセット状態である。図６（Ａ）の円内を拡大した図６（Ｂ）に示すように、被係止片３ｂの被係止凸部３ｃが係止片２ｇにより係止され、カートリッジ３がロックされ、これを引き出すことはできない。
【００２５】
カートリッジ３を引き出すには、解除ノブ１２を押し込む。図６（Ｃ）に示すように、解除ノブ１２の解除凸部１２ａが被係止凸部３ｃを押し上げ、段差部を係止片２ｇから外す。この状態でカートリッジ３を引き出すと、図６（Ｄ）に示すように、被係止凸部３ｃを係止片２ｇの上を通過させるようにして、カートリッジ３をガイド部材２から引き出すことができる。
【００２６】
カートリッジ３の引き出し行程においては、係止片２ｇはスライド溝３ｆにあるから、図６（Ｅ）に示すように、係止片２ｇがスライド溝３ｆの先端に係合した状態で、カートリッジ３が係止され、抜け止めされる。この状態は、図５（Ｂ）に示す状態であり、この状態でカートリッジ３にカッター刃を充填することができる。
【００２７】
図７，図８は、本発明のカッターナイフの第２の実施の形態を説明するためのもので、図７はカッターナイフ本体部の分解斜視図、図８（Ａ）はカートリッジをカッターナイフ本体部にセットした状態の断面図、図８（Ｂ）（Ｃ）（Ｄ）はカートリッジを引き出す動作を説明するための要部の断面図、図８（Ｅ）はカートリッジを引き出した状態の断面図である。図中、図１〜図６と同様の部分には同じ符号を付して説明を省略する。１ｄは解除片、１ｅは解除凸部である。
【００２８】
第１の実施の形態においては、解除部材として解除ノブを用い、解除ノブをボディ部に対して、別部材として構成したが、この実施の形態では、解除部材をボディ部１と一体成形して、解除片１ｄとして構成した点が第１の実施の形態と相違する。ガイド部材２、カートリッジ３、スライダー部材４については、第１の実施の形態と同様でよいので、説明を省略する。
【００２９】
解除片１ｄは、弾性を持たせる必要があるから、この実施の形態においては、ボディ部材１の材料は、弾性変形可能な材料を用いる必要がある。
【００３０】
図８（Ａ）は、カートリッジのセット状態である。図８（Ａ）の円内を拡大した図８（Ｂ）に示すように、被係止片３ｂの被係止凸部３ｃが係止片２ｇにより係止され、カートリッジ３がロックされ、これを引き出すことはできない。
【００３１】
カートリッジ３を引き出すには、解除片１ｄを押し込むようにして曲げる。図８（Ｃ）に示すように、解除片１ｄの解除凸部１ｅが被係止凸部３ｃを押し上げ、段差部を係止片２ｇから外す。この状態でカートリッジ３を引き出すと、図８（Ｄ）に示すように、被係止凸部３ｃを係止片２ｇの上を通過させるようにして、カートリッジ３をガイド部材２から引き出すことができる。
【００３２】
カートリッジ３の引き出し行程においては、係止片２ｇはスライド溝３ｆにあるから、図８（Ｅ）に示すように、係止片２ｇがスライド溝３ｆの先端に係合した状態で、カートリッジ３が係止され、抜け止めされる。この状態は、図５（Ｂ）に示す状態であり、この状態でカートリッジ３にカッター刃を充填することができる。
【００３３】
なお、第１の実施の形態における解除ノブ１２の外側の表面、および、第２の実施の形態における解除片１ｄの外側の表面については、ボディ部材１の外表面と同じ位置となるように説明したが、ボディ部材１の外側の表面より低い位置となるように構成してもよい。そのようにすれば、解除ノブ１２および解除片１ｄを操作するためにタッチする操作面が、ボディ部材１の外側の表面より低い位置となり、カッターナイフ本体部を握っただけでは、操作面に手が触れることはなく、カートリッジがカッターナイフ本体部から作業中不用意に引き出ることをより確実に防止できる。
【００３４】
【発明の効果】
以上の説明から明らかなように、本発明によれば、カートリッジがカッターナイフ本体部から作業中不用意に引き出ることなく、また、カッター刃を充填させるときには、簡単な操作で容易に引き出すことができるカッターナイフを提供することができる。また、構造も簡単であり、カートリッジが係止される被係止凸部が形成された被係止片が、カートリッジの底面の後部に、設けられていることにより、解除部材をボディ部材の底部の後部に設けることができる。ボディ部材の底部は、掌に面的に握られるので、握っただけでは、解除部材が作動される可能性はない。さらに、カートリッジに抜け止めをすることができるので、カッター刃の装填に際して、従来のカッターナイフのように、カートリッジを引き抜く必要がなく、容易にカッター刃を装填できるという効果もある。
【図面の簡単な説明】
【図１】本発明のカッターナイフの第１の実施の形態におけるカッターナイフ本体部とスライダー部材の分解斜視図である。
【図２】本発明のカッターナイフの第１の実施の形態におけるガイド部材を底面側からみた斜視図である。
【図３】本発明のカッターナイフの第１の実施の形態におけるカートリッジとの分解斜視図である。
【図４】本発明のカッターナイフの第１の実施の形態におけるカートリッジを底面側からみた斜視図である。
【図５】本発明のカッターナイフの第１の実施の形態におけるカートリッジをカッターナイフ本体部にセットした状態の斜視図とカートリッジを引き出した状態の斜視図である。
【図６】本発明のカッターナイフの第１の実施の形態における動作を説明するための断面図である。
【図７】本発明のカッターナイフの第２の実施の形態におけるカッターナイフ本体部の分解斜視図である。
【図８】本発明のカッターナイフの第２の実施の形態における動作を説明するための断面図である。
【図９】本発明の先行例のカッターナイフにおけるカートリッジをカッターナイフ本体部にセットした状態の斜視図である。
【図１０】本発明の先行例のカッターナイフにおけるカッターナイフ本体部からカートリッジを引き出してカッター刃を挿入する状態の斜視図である。
【図１１】本発明の先行例のカッターナイフにおけるガイド部材の斜視図である。
【符号の説明】
１…ボディ部材、１ａ…刃上げスプリング固定溝、１ｂ…ビス孔、１ｃ…解除ノブ挿入孔、１ｄ…解除片、１ｅ…解除凸部、２…ガイド部材、２ａ…係止部、２ｃ，２ｄ…カッター刃規制部、２ｅ…スプリング孔、２ｆ…ビス孔、２ｇ…係止片、３…カートリッジ、３ａ…把持部、３ｂ…被係止片、３ｃ…被係止凸部、３ｄ…凹部、３ｅ…窓孔、３ｆ…スライド溝、３ｇ…スライド溝先端部、３ｈ…スプリング孔、４…スライダー部材、５…カッター刃、５ａ…係合孔、６…可動台、６ａ…係合突起、７…刃上げスプリング、８…スライダー本体部材、８ａ…係合突起、９…操作部材、１０…スライダースプリング、１１…ビス、１２…解除ノブ、１２ａ…解除凸部。
【図１】
0004277107.tif 000002
【図２】
0004277107.tif 000003
【図３】
0004277107.tif 000004
【図４】
0004277107.tif 000005
【図５】
0004277107.tif 000006
【図６】
0004277107.tif 000007
【図７】
0004277107.tif 000008
【図８】
0004277107.tif 000009
【図９】
0004277107.tif 000010
【図１０】
0004277107.tif 000011
【図１１】
0004277107.tif 000012